(57)【要約】【課題】端部同士の接合を簡単に行えて、この接合部分の耐火性を確保できる無機質内装材及び無機質内装材の接合構造を提案する。【解決手段】本発明の無機質内装材１は、一方の端部１０に円弧状の凸部２を備え、他方の端部１１に凸部２に嵌合可能な円弧状の凹部３を備えることを特徴とする。また、本発明の無機質内装材１の接合構造は、接合側端部１０に円弧状の凸部２を備える無機質内装材１と、接合側端部１１に円弧状の凹部３を備える無機質内装材１とを、凸部２と凹部３との嵌合によって接合したことを特徴とする。【選択図】図１
2013249601.tif 000002
【特許請求の範囲】
【請求項１】
一方の端部に円弧状の凸部を備え、他方の端部に前記凸部に嵌合可能な円弧状の凹部を備えることを特徴とする無機質内装材。
【請求項２】
一方の端部に三角形状の凸部を備え、他方の端部に前記凸部に嵌合可能な三角形状の凹部を備えることを特徴とする無機質内装材。
【請求項３】
上下両端部に前記凸部と前記凹部とを備えるとともに、左右両端部に前記凸部と前記凹部とを備えることを特徴とする請求項１または２に記載の無機質内装材。
【請求項４】
前記無機質内装材は、石膏ボード、または珪酸カルシウム板であることを特徴とする請求項１〜３のいずれか１つに記載の無機質内装材。
【請求項５】
隣接する無機質内装材同士を接合した無機質内装材の接合構造であって、
一方の前記無機質内装材は、接合側端部に円弧状の凸部を備え、
他方の前記無機質内装材は、接合側端部に円弧状の凹部を備え、
前記一方と前記他方の前記無機質内装材を、前記凸部と前記凹部との嵌合によって接合したことを特徴とする無機質内装材の接合構造。
【請求項６】
隣接する無機質内装材同士を接合した無機質内装材の接合構造であって、
一方の前記無機質内装材は、接合側端部に三角形状の凸部を備え、
他方の前記無機質内装材は、接合側端部に三角形状の凹部を備え、
前記一方と前記他方の前記無機質内装材を、前記凸部と前記凹部との嵌合によって接合したことを特徴とする無機質内装材の接合構造。
【請求項７】
前記無機質内装材は、石膏ボード、または珪酸カルシウム板であることを特徴とする請求項５または６に記載の無機質内装材の接合構造。
【発明の詳細な説明】
【技術分野】
【０００１】
本発明は、無機質内装材及び無機質内装材の接合構造に関する。
【背景技術】
【０００２】
石膏ボードや珪酸カルシウム板等の無機質内装材９は、一般的に図６に示すような端部形状となるように両端部９０が形成される。
【０００３】
図６（ａ）は、角が直角なスクウェアエッジを示し、図６（ｂ）は、角が大きく斜めにカットされたテーパエッジを示し、図６（ｃ）は、角が少し斜めにカットされたベベルエッジを示し、図６（ｄ）は、角が丸くカットされたラウンドエッジを示す。
【０００４】
図６（ｂ）〜図６（ｄ）に示すように、角をカットするのは、例えば、無機質内装材同士を接合する際に、これらを接合するジョイントテープやこのジョイントテープを埋めるパテを収める目地処理用の空間を形成するためである。
【０００５】
しかし、このように角をカットすると、無機質内装材の端部の厚みが薄くなり、耐火性が落ちる。
【０００６】
この問題を解消するものとして、特許文献１には、石膏ボード（珪酸カルシウム板）９のテーパエッジの端部９０同士を突き合せ、このテーパによって厚みの薄くなった突き合せ部分９１を目地処理して塞ぐことで、石膏ボード９同士を接合するとともに、この突き合せ部分９１の耐火性を確保することが開示されている。
【０００７】
この目地処理は、図７に示すように、突き合せ部分９１にジョイントテープ８０を取り付け、このジョイントテープ８０上に目地処理用パテ８１を充填し、その上から仕上げパテ８２を充填して、この突き合せ部分９１の表面を石膏ボード９の表面に対してフラットに仕上げるといったものである。
【先行技術文献】
【特許文献】
【０００８】
【特許文献１】特開平８−２７９９１号公報
【発明の概要】
【発明が解決しようとする課題】
【０００９】
しかし、上述したように、角のカットされた石膏ボード等の無機質内装材同士を接合し、且つこの接合部分の耐火性を確保するためには、目地処理が必要であり、施工に手間がかかる。
【００１０】
そこで、上記事情を鑑みて、本発明は、端部同士の接合を簡単に行えて、この接合部分の耐火性を確保できる無機質内装材及び無機質内装材の接合構造を提案することを課題とする。
【課題を解決するための手段】
【００１１】
上記課題を解決するために本発明の無機質内装材は、一方の端部に円弧状の凸部を備え、他方の端部に前記凸部に嵌合可能な円弧状の凹部を備えることを特徴とする。
【００１２】
また、上記課題を解決するために本発明の無機質内装材は、一方の端部に三角形状の凸部を備え、他方の端部に前記凸部に嵌合可能な三角形状の凹部を備えることを特徴とする。
【００１３】
また、前記無機質内装材は、上下両端部に前記凸部と前記凹部とを備えるとともに、左右両端部に前記凸部と前記凹部とを備えることが好ましい。
【００１４】
また、前記無機質内装材は、石膏ボード、または珪酸カルシウム板であることが好ましい。
【００１５】
また、上記課題を解決するために本発明の無機質内装材の接合構造は、隣接する無機質内装材同士を接合した無機質内装材の接合構造であって、一方の前記無機質内装材は、接合側端部に円弧状の凸部を備え、他方の前記無機質内装材は、接合側端部に円弧状の凹部を備え、前記一方と前記他方の前記無機質内装材を、前記凸部と前記凹部との嵌合によって接合したことを特徴とする。
【００１６】
また、上記課題を解決するために本発明の無機質内装材の接合構造は、隣接する無機質内装材同士を接合した無機質内装材の接合構造であって、一方の前記無機質内装材は、接合側端部に三角形状の凸部を備え、他方の前記無機質内装材は、接合側端部に三角形状の凹部を備え、前記一方と前記他方の前記無機質材を、前記凸部と前記凹部との嵌合によって接合したことを特徴とする。
【００１７】
また、前記無機質内装材は、石膏ボード、または珪酸カルシウム板であることが好ましい。
【発明の効果】
【００１８】
本発明は、例えば、円弧状や三角形状の凸部と凹部を嵌合させることで、接合のための目地処理を行わずとも、隣接する無機質内装材の端部同士を接合させることができる。この端部同士を接合した接合部分では、凹部内の空所が凸部で充填されることとなり、目地処理を行わずとも、この接合部分の耐火性を確保することができる。よって、本発明では、端部同士の接合を簡単に行えて、この接合部分の耐火性を確保できるものとなっている。
【図面の簡単な説明】
【００１９】
【図１】（ａ）は本発明の第一実施形態の無機質内装材を示す斜視図であり、（ｂ）はこの無機質内装材同士を接合した接合構造を示す斜視図である。
【図２】（ａ）は同上の無機質内装材を用いた一例の建築構造の側断面図であり、（ｂ）はこの建築構造の斜視図である。
【図３】（ａ）は同上の無機質内装材を用いた他例の建築構造の側断面図であり、（ｂ）はこの建築構造の斜視図である。
【図４】同上の無機質内装材を用いたさらに他例の建築構造の斜視図である。
【図５】（ａ）は本発明の第二実施形態の無機質内装材を示す側面図であり、（ｂ）はこの無機質内装材同士を接合した接合構造を示す側面図であり、（ｃ）は本発明の第三実施形態の無機質内装材を示す側面図であり、（ｄ）はこの無機質内装材同士を接合した接合構造を示す側面図であり、（ｅ）は本発明の第四実施形態の無機質内装材を示す側面図であり、（ｆ）はこの無機質内装材同士を接合した接合構造を示す側面図であり、（ｇ）は本発明の第五実施形態の無機質内装材を示す側面図であり、（ｈ）はこの無機質内装材同士を接合した接合構造を示す側面図である。
【図６】一般的な無機質内装材の端部形状を示す側面図である。
【図７】テーパエッジを備える石膏ボード（珪酸カルシウム板）同士の接合構造を示す斜視図である。
【発明を実施するための形態】
【００２０】
以下、本発明の実施形態について図を参照しながら説明する。
【００２１】
本実施形態の無機質内装材１は、石膏ボードや、珪酸カルシウム板等であり、外壁や内壁や間仕切壁の下地等として用いられる。
【００２２】
第一実施形態の無機質内装材１は、図１（ａ）に示すように、矩形板状（長方形板状）であり、一方の端部１０（上端部）に側面視円弧状の凸部２を備え、他方の端部１１（下端部）にこの凸部２に嵌合可能な側面視円弧状の凹部３を備える。凸部２の円弧と凹部３の円弧は合致する形状となっており、凸部２と凹部３は略隙間なく嵌合可能である。
【００２３】
本実施形態では、無機質内装材１は、寸法が、例えば、幅９１０ｍｍ長さ１８２０ｍｍ，幅９１０ｍｍ長さ２４２０ｍｍ，幅９１０ｍｍ長さ２７３０ｍｍであり、厚みは、９．５ｍｍ，１２．５ｍｍ，１５ｍｍ，２１ｍｍである。ここで、凸部２の突出寸法（凹部３の凹み寸法）は、例えば、２〜５ｍｍである。
【００２４】
本実施形態では、無機質内装材１は、短手方向の両端部１０，１１（上端部と下端部）にそれぞれ凸部２と凹部３とを備えている。凸部２と凹部３はそれぞれ、この短手方向の両端部１０，１１の、長手方向（左右方向）の全長に亘って形成されている。凸部２は、短手方向の一方の端面（上端面）を厚み方向全長に亘って側面視円弧状に突出させてなり、凹部３は、短手方向の他方の端面（下端面）を厚み方向全長に亘って側面視円弧状に凹ませてなる。無機質内装材１の長手方向の両端は、平坦面となっている。
【００２５】
上述した構成の無機質内装材１は、図１（ｂ）に示すように、上下に２枚並べ、端部（接合側端部）１０，１１同士を突き合わせることによって、凸部２と凹部３とが嵌合して、上下に接合させることができる。このように凸部２と凹部３とが嵌合した接合部分は、無機質内装材１のその他の部分（例えば、短手方向の中央部分）と略同じ厚みを有し、厚み方向の全体に亘って無機質材（石膏や珪酸カルシウム）が充填されたものとなる。これにより、接合部分において、無機質内装材１のその他の部分と同程度の耐火性が確保される。
【００２６】
以上のように、上下に隣接する無機質内装材１同士は、嵌合によって接合し、接合部分の耐火性が確保される。そのため、本実施形態の無機質内装材１では、従来例のように、ガラス繊維テープなどのジョイントテープで端部９０同士を接続したり、この端部９０部分をパテ等で埋めて厚くしたりしなくてもよく、このような目地処理を省略できて、端部１０，１１同士の接合が簡単に行える。
【００２７】
また、凸部２と凹部３との凹凸嵌合によって隣接する無機質内装材１同士を接合するようにしたことで、火災時に無機質内装材１が変形や収縮を起こした場合でも、この接合部分には隙間が出来にくい。
【００２８】
また、本実施形態では、凸部２を円弧状としたことで、この凸部２の表面がガイド面となる。そのため、上下に隣接する無機質内装材１の端部１０，１１同士を突き合せる際、凹部３の側壁の先端をこのガイド面に沿わせながら嵌合位置へとガイドすることができ、突き合せしやすいものとなっている。
【００２９】
上述した無機質内装材１は、例えば、図２〜図４に示す建築構造の下地として用いられる。
【００３０】
図２（ａ），（ｂ）に示す建築構造は、無機質内装材１を長手方向が左右方向となるように横張りで使用した例である。無機質内装材１は、長手方向の両端部（左右端部）に、ねじや釘等の固定具７０が打ち付けられることによって、胴縁等の下地材７に固定される。
【００３１】
無機質内装材１の屋外側には、複数のサンドイッチパネル６０からなる外壁６が配されている。サンドイッチパネル６０は、２枚の金属板間に芯材を介装したものであり、上下の端部に嵌合凸部と嵌合凹部を有している。上下に並ぶ無機質内装材１の突き合わせ端部１０，１１同士は、嵌合により接合され、また上下に並ぶサンドイッチパネル６０の突き合わせ端部同士は、嵌合によって接合される。ここで、この無機質内装材１の接合箇所と、サンドイッチパネル６０の接合箇所とは、上下方向にずらしている。これにより、火災等の際に、サンドイッチパネル６０の接合箇所から炎が入り込んできても、無機質内装材１の接合箇所へと到達しにくいようにしている。なお、この無機質内装材１の接合箇所と、サンドイッチパネル６０の接合箇所とが、上下方向の同じ高さとなるように配置してもかまわない。また、左右に並ぶサンドイッチパネル６０の突き合わせ端部と、左右に並ぶ無機質内装材１の突き合わせ端部の屋内側には、下地材７を配置することによって、これらの突き合わせ端部部分の耐火性の向上を図っている。なお、外壁６は、サンドイッチパネル６０に限定されるものではなく、他の壁材であってもよい。
【００３２】
また、図３（ａ），（ｂ）に示す建築構造は、無機質内装材１を横張りで使用した例である。無機質内装材１は、長手方向に亘って、複数の鋼製の下地７２にそれぞれ、ビス等の固定具７０を介して固定される。
【００３３】
無機質内装材１の屋外側には、下地７２、胴縁等の下地材７、断熱材７１、サンドイッチパネル６０からなる外壁６が配設されている。なお、断熱材７１は配設されていなくてもよい。上下に並ぶ無機質内装材１の突き合わせ端部１０，１１同士は、嵌合により接合され、また上下に並ぶサンドイッチパネル６０の突き合わせ端部同士は、嵌合によって接合されている。この無機質内装材１の接合箇所と、サンドイッチパネル６０の接合箇所とは、上下方向にずらして、耐火性の向上を図っている。なお、この無機質内装材１の接合箇所と、サンドイッチパネル６０の接合箇所とが、上下方向の同じ高さとなるように配置してもかまわない。また、左右に並ぶサンドイッチパネル６０の突き合わせ端部の屋内側には、下地材７を配置し、左右に並ぶ無機質内装材１の突き合わせ端部の屋外側には、鋼製の下地７２を配置することによって、これらの突き合わせ端部部分の耐火性の向上を図っている。なお、外壁６は、サンドイッチパネル６０に限定されるものではなく、他の壁材であってもよい。
【００３４】
また、図４に示す建築構造は、無機質内装材１を横張りで使用した例である。無機質内装材１は、長手方向に亘って、複数の間柱等の下地７２に貼り付けられる。なお、無機質内装材１は、固定具７０で打ち付けることで、この下地７２に固定するようにしてもかまわない。
【００３５】
無機質内装材１の屋内側には、根太７３が配されており、無機質内装材１の屋外側には、柱等の下地材７、下地７２、断熱材７１、防水シート７４、外壁６が配されている。外壁６は、例えば、プラスチックや金属や窯業系のサイディング６１である。上下に並ぶ無機質内装材１の突き合わせ端部１０，１１同士は、嵌合により接合され、また上下に並ぶサイディング６１の突き合わせ端部同士は、嵌合によって接合されている。この無機質内装材１の接合箇所と、サイディング６１の接合箇所とは、上下方向にずらして、耐火性の向上を図っている。なお、この無機質内装材１の接合箇所と、サイディング６１の接合箇所とが、上下方向の同じ高さとなるように配置してもかまわない。また、左右に並ぶサイディング６１の突き合わせ端部の屋内側には下地材７を配置し、左右に並ぶ無機質内装材１の突き合わせ端部の屋外側には、下地７２を配置することによって、これらの突き合わせ端部部分の耐火性の向上を図っている。
【００３６】
また、図示はしていないが、本実施形態の無機質内装材１は、クロス等が張られる室内壁の下地としても好適に用いられる。隣接する無機質内装材１は、凸部２と凹部３との嵌合によって接合されるため、接合部分には凹みが形成されにくく、不陸整正せずとも、クロス等を平坦に貼り付けることができる。
【００３７】
なお、上述した図２，図３，図４の建築構造において、無機質内装材１を厚み方向に２重に重ねて使用してもかまわない。この厚み方向に重ねた無機質内装材１同士は、接着やビスやタッカーによって結合させる。このとき、厚み方向の片側の無機質内装材１の接合箇所と、厚み方向の他側の無機質内装材１の接合箇所とを、上下方向にずれるように配置してもよいし、上下方向の同じ高さとなるように配置してもよい。
【００３８】
また、上述した図２，図３，図４の建築構造では、無機質内装材１を横張りで使用した例について説明したが、無機質内装材１を縦張りで使用してもよい。
【００３９】
以上説明した第一実施形態では、無機質内装材１が円弧状の凸部２と凹部３を備える例について説明したが、凸部２と凹部３の形状はこの形状に限定されない。
【００４０】
図５（ａ），（ｂ）に示す第二実施形態の無機質内装材１は、矩形板状（長方形板状）であり、一方の端部１０（上端部）に側面視三角形状の凸部２を備え、他方の端部１１（下端部）にこの凸部２に嵌合可能な側面視三角形状の凹部３を備える。凸部２の三角形と凹部３の三角形は合致する形状となっており、凸部２と凹部３は略隙間なく嵌合可能である。凸部２と凹部３はそれぞれ、短手方向の両端部１０，１１の、長手方向の全長に亘って形成されている。また、凸部２は、短手方向の一方の端面（上端面）を厚み方向全長に亘って側面視三角形状に突出させてなり、凹部３は、短手方向の他方の端面（下端面）を厚み方向全長に亘って側面視三角形状に凹ませてなる。
【００４１】
上述した構成の無機質内装材１は、図５（ｂ）に示すように、上下に２枚並べ、端部１０，１１同士を突き合わせることによって、凸部２と凹部３とが嵌合して、接合させることができる。このように凸部２と凹部３とが嵌合した接合部分は、無機質内装材１のその他の部分（例えば、短手方向の中央部分）と略同じ厚みを有し、厚み方向の全体に亘って無機質材（石膏や珪酸カルシウム）が充填されたものとなる。これにより、接合部分において、無機質内装材１のその他の部分と同程度の耐火性が確保される。本実施形態の無機質内装材１においても、第一実施形態の無機質内装材１と同様に、目地処理の施工手間を抑えることができて、端部１０，１１同士の接合が簡単に行える。
【００４２】
また、本実施形態では、凸部２を三角形状としたことで、この凸部２の表面がガイド面となる。そのため、上下に隣接する無機質内装材１の端部１０，１１同士を突き合せる際、凹部３の側壁の先端をこのガイド面に沿わせながら嵌合位置へとガイドすることができ、突き合せしやすいものとなっている。また、端部１０，１１同士を付き合わせる際に、三角形状の先端が凹部３の側壁の先端を沿わせる位置の目印となるため、第一実施形態に比べ、さらに突き合わせしやすいものとなっている。
【００４３】
また、図５（ｃ），（ｄ）に示す第三実施形態の無機質内装材１は、矩形板状（長方形板状）であり、短手方向の一方の端部１０（上端部）に円弧状の凸部２を備え、短手方向の他方の端部１１（下端部）にこの凸部２に嵌合可能な円弧状の凹部３を備える。凸部２の円弧と凹部３の円弧は合致する形状となっており、凸部２と凹部３は略隙間なく嵌合可能である。凸部２と凹部３はそれぞれ、短手方向の両端部１０，１１の、長手方向の全長に亘って形成されている。この凸部２は、短手方向の一方の端面（上端面）のうち厚み方向の中央部を円弧状に突出させてなり、凹部３は、短手方向の他方の端面（下端面）のうち厚み方向の中央部を円弧状に凹ませてなる。そのため、両端部１０、１１は、突き合わせた際に互いに当接する平坦な突き当たり面４を備えている。
【００４４】
このように突き当たり面４を備えることで、第三実施形態の無機質内装材１では、２枚の隣接する無機質内装材１を接合する際、この突き当たり面４同士が当接することで、安定した状態で接合させることができる。また、第三実施形態の無機質内装材１においても、第一実施形態の無機質内装材１と同様に、突き合せしやすく、端部１０，１１同士の接合が簡単に行え、接合部分の耐火性も確保される。
【００４５】
また、図５（ｅ），（ｆ）に示す第四実施形態の無機質内装材１は、矩形板状（長方形板状）であり、短手方向の一方の端部１０（上端部）に三角形状の凸部２を備え、短手方向の他方の端部１１（下端部）にこの凸部２に嵌合可能な三角形状の凹部３を備える。凸部２の三角形と凹部３の三角形は合致する形状となっており、凸部２と凹部３は略隙間なく嵌合可能である。凸部２と凹部３はそれぞれ、短手方向の両端部１０，１１の、長手方向の全長に亘って形成されている。この凸部２は、短手方向の一方の端面（上端面）のうち厚み方向の中央部を三角形状に突出させてなり、凹部３は、短手方向の他方の端面（下端面）のうち厚み方向の中央部を三角形状に凹ませてなる。そのため、両端部１０、１１は、突き合わせた際に互いに当接する平坦な突き当たり面４を備えている。
【００４６】
このように突き当たり面４を備えることで、第四実施形態の無機質内装材１では、２枚の隣接する無機質内装材１を接合する際、この突き当たり面４同士が当接することで、安定した状態で接合させることができる。また、第四実施形態の無機質内装材１においても、第二実施形態の無機質内装材１と同様に、突き合せしやすく、端部１０，１１同士の接合が簡単に行え、接合部分の耐火性も確保される。
【００４７】
また、図５（ｇ），（ｈ）に示す第五実施形態の無機質内装材１は、矩形板状（長方形板状）であり、短手方向の一方の端部１０（上端部）に矩形状の凸部２を備え、短手方向の他方の端部１１（下端部）にこの凸部２に嵌合可能な矩形状の凹部３を備える。凸部２の矩形と凹部３の矩形は合致する形状となっており、凸部２と凹部３は略隙間なく嵌合可能である。凸部２と凹部３はそれぞれ、短手方向の両端部１０，１１の、長手方向の全長に亘って形成されている。この凸部２は、短手方向の一方の端面（上端面）のうち厚み方向の中央部を矩形状に突出させてなり、凹部３は、短手方向の他方の端面（下端面）のうち厚み方向の中央部を矩形状に凹ませてなる。そのため、両端部１０、１１は、突き合わせた際に互いに当接する平坦な突き当たり面４を備えている。
【００４８】
このように突き当たり面４を備えることで、第五実施形態の無機質内装材１では、２枚の隣接する無機質内装材１を接合する際、この突き当たり面４同士が当接することで、安定した状態で接合させることができる。また、第五実施形態の無機質内装材１においても、第一乃至第四実施形態の無機質内装材１と同様に、端部１０，１１同士の接合が簡単に行え、接合部分の耐火性も確保される。
【００４９】
上述した第一乃至第五実施形態の無機質内装材１を石膏ボードで形成する場合、例えば以下のようにして製造される。
【００５０】
最初に、表紙の上に、ミキサーが焼石膏、水、そして種々の添加材からなるスラリーを載せる。次いで、スラリーを裏紙で覆う。ここで、表紙は、短手方向の両端部分が、上述した円弧状や三角形状や矩形状等の所定形状をなすように上方に折り曲げられる。次いで、裏紙とスラリーは、プレスされて所定の厚みに調整される。このとき、スラリーは表紙の両端部分まで広がり、スラリーの両端部分は、この表紙の両端部分と同じ形状となる。次いで、スラリーが表紙の両端部分まで広がった後、表紙の上端部を折り曲げて裏紙上に重ねる。スラリーの水と焼石膏が反応して、石膏が所定の固定状態に到達したら、石膏ボードを長手方向に所定長となるように切断する。個々の石膏ボードは炉に通され、余分な水分が取り除かれる。次いで、切断した端部を研削することで仕上げを行う。なお、短手方向の両端部分の石膏は、補強のため、他の部分に比べて、硬質な石膏としてもよい。
【００５１】
また、上述した第一乃至第五実施形態の無機質内装材１を珪酸カルシウム板で形成する場合、例えば以下のようにして製造される。
【００５２】
まず、消灰石やセメント等の石灰質原料、ケイ砂や珪藻土等のケイ酸質原料、パルプやカーボンファイバー等の補強繊維を主成分とする原料を混合してスラリー化し、その原料スラリーを抄造機等により板状に成形する。このとき、両端部形状を上述した所定の形状となるように成形する。その後、それをオートクレーブにより高温高圧蒸気養生する。なお、短手方向の両端部分のスラリーは、補強のため、他の部分に比べて、硬質なスラリーとしてもよい。
【００５３】
以上述べた第一乃至第五実施形態の無機質内装材１では、短手方向の両端部１０，１１に凸部２と凹部３とを備えるものであったが、これに限定されない。
【００５４】
図示しない第六実施形態の無機質内装材１は、短手方向の両端部１０，１１に凸部２と凹部３とを備えるとともに、長手方向の両端部１０，１１（左右両端部）に凸部２と凹部３とを備える。すなわち、無機質内装材１は、短手方向の一方の端部１０に長手方向の全長に亘って形成される凸部２を備え、短手方向の他方の端部１１に長手方向の全長に亘って形成される凹部３を備える。この無機質内装材１は、さらに、長手方向の一方の端部１０に短手方向の全長に亘って形成される凸部２を備え、長手方向の他方の端部１１に短手方向の全長に亘って形成される凹部３を備える。このような構成とすることによって、上下に隣接する無機質内装材１同士も、左右に隣接する無機質内装材１同士も、凸部２と凹部３との嵌合によって接合させることができる。これにより、目地処理の施工手間を省略でき、施工性が向上する。
【００５５】
また、この無機質内装材１を、図２〜図４に示す建築構造に用いた場合、上下に並べた無機質内装材１の突き合わせ端部の耐火性が確保できるだけでなく、左右に並べた無機質内装材１の突き合わせ端部の耐火性も確保できる。そのため、この左右に並べた無機質内装材１の突き合わせ端部を、下地材７や下地７２の屋内側もしくは屋外側に配置しなくてもよく、この点においても施工性が向上する。
【００５６】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００５７】
１      無機質内装材
２      凸部
３      凹部
１０    端部（接合側端部）
１１    端部（接合側端部）
【図１】
2013249601.tif 000003
【図２】
2013249601.tif 000004
【図３】
2013249601.tif 000005
【図４】
2013249601.tif 000006
【図５】
2013249601.tif 000007
【図６】
2013249601.tif 000008
【図７】
2013249601.tif 000009